(57)【特許請求の範囲】
【請求項１】
少なくとも装着者のバストの長さを有する生地を用意し、
前記装着者のバストに前記生地を巻きつけた後に、前記装着者のバスト下方の生地が重なるように段折りし、重なって配置される上下２つの前記生地の間に空間部を形成するようにして紐状体で下側の前記生地を固定し、その後、
前記生地の端部辺に所定の間隔で複数形成された、ひだを成形するための各ドレープを前記装着者の胴回りであって前記空間部に順次配置して、前記ひだが下方に延びるように配置されることを特徴とするイージードレス。
【請求項２】
前記ドレープは、所定の間隔で基点を定め、当該基点の周辺の生地を寄せ集めて固定することによって形成されていることを特徴とする請求項１に記載のイージードレス。
【請求項３】
前記ドレープは、前記端部辺の任意の固定点から前記端部辺に沿って筒状の挿通孔を形成し、この挿通孔に挿通させ、一部が当該固定点に固定される第２の紐状体を備え、当該挿通孔を前記固定点側に寄せることによって形成されることを特徴とする請求項１、又は２に記載のイージードレス。
【請求項４】
端部辺の一部に所定の間隔でひだを成形するためのドレープが前記端部辺に沿って複数形成されている少なくとも装着者のバストの長さを有する略帯状の生地を用いたドレスの着付け方法であって、
前記装着者のバストに前記生地を巻きつけた後に、前記装着者のバスト下方の生地が重なるように段折りし、重なって配置される上下２つの前記生地の間に空間部を形成するようにして紐状体で下側の前記生地を固定し、その後、
前記各ドレープを前記装着者の胴回りであって前記空間部に順次配置して、前記ひだが下方に延びるように配置したことを特徴とするドレスの着付け方法。
【発明の詳細な説明】
【技術分野】
【０００１】
本発明は、簡易に製作可能なドレスに関し、特に婦人用のイージードレス及びドレスの着付け方法に関する。
【背景技術】
【０００２】
従来の婦人用ドレスは、型紙に合わせて複数の生地を裁断し、それらの各生地を縫い合わせて製造される。
【先行技術文献】
【特許文献】
【０００３】
【特許文献１】特公平７−２６２４３号公報
【発明の開示】
【発明が解決しようとする課題】
【０００４】
このような従来の婦人用ドレスの製造方法は、熟練を有するとともに非常に手間がかかるため、高価であった。
【０００５】
ところで、近年、高齢者が記念日等にウェディングドレスを着たいという要望があるものの、市販されているウェディングドレスは、高齢者には着にくいという問題がある。
【０００６】
そこで、本発明は上記問題を課題の一例として為されたもので、高齢者であっても容易に着用可能であって、簡易且つ安価に製造可能なイージードレス等を提供することを目的とする。
【課題を解決するための手段】
【０００７】
上記課題を解決するために、請求項１に記載のイージードレス（Ｄ）は、少なくとも装着者のバストの長さを有する生地（２）を用意し、前記装着者のバストに前記生地を巻きつけた後に、前記装着者のバスト下方の生地が重なるように段折りし、重なって配置される上下２つの前記生地の間に空間部（１０）を形成するようにして紐状体（４０）で下側の前記生地を固定し、その後、前記生地の端部辺（２ｃ）に所定の間隔で複数形成された、ひだを成形するための各ドレープ（５）を前記装着者の胴回りであって前記空間部に順次配置して、前記ひだが下方に延びるように配置されることを特徴とする。
【０００８】
また、請求項２に記載のイージードレスは、請求項１に記載のイージードレスにおいて、前記ドレープは、所定の間隔で基点（Ｚ）を定め、当該基点の周辺の生地を寄せ集めて固定することによって形成されていることを特徴とする。
【０００９】
また、請求項３に記載のイージードレスは、請求項１、又は２に記載のイージードレスにおいて、前記ドレープは、前記端部辺の任意の固定点（Ｚ１）から前記端部辺に沿って筒状の挿通孔（７０）を形成し、この挿通孔に挿通させ、一部が当該固定点に固定される第２の紐状体（５５）を備え、当該挿通孔を前記固定点側に寄せることによって形成されることを特徴とする。
【００１０】
また、請求項４に記載のドレスの着付け方法は、端部辺の一部に所定の間隔でひだを成形するためのドレープが前記端部辺に沿って複数形成されている少なくとも装着者のバストの長さを有する略帯状の生地を用いたドレスの着付け方法であって、前記装着者のバストに前記生地を巻きつけた後に、前記装着者のバスト下方の生地が重なるように段折りし、重なって配置される上下２つの前記生地の間に空間部を形成するようにして紐状体で下側の前記生地を固定し、その後、前記各ドレープを前記装着者の胴回りであって前記空間部に順次配置して、前記ひだが下方に延びるように配置したことを特徴とする。
【発明の効果】
【００１１】
本発明によれば、高齢者や障害者に対して、容易にイージードレスを着用させることができる。また、イージードレスを容易且つ安価に製造することができる。
【図面の簡単な説明】
【００１２】
【図１】ドレス製造用の生地の一例を示す模式図である。
【図２】ドレスの着付例を示す模式図である。
【図３】生地を装着者に着付ける際の背面から視認した一例を示す模式図である。
【図４】ドレスを着付けした状態において側面から視認した一例を示す模式図である。
【図５】ドレープの製作例を示す模式図である。
【図６】他の着付け例を示す模式図であり、図６（ａ）は生地の外観を示す模式図、図６（ｂ）は着付け例を示す模式図である。
【図７】第２実施形態のドレス製造用の生地の一例を示す模式図である。
【図８】第２実施形態の生地を装着者に着付ける際の背面から視認した一例を示す模式図である。
【図９】ドレープの他の製造例を説明するための生地の一例を示す模式図である。
【発明を実施するための最良の形態】
【００１３】
以下、本願の実施形態について添付図面を参照して説明する。なお、生地２の説明において、便宜的に図１に示す左右方向を生地幅Ｘの左右方向、上下方向を生地丈Ｙの上下方向として説明する。また、以下の説明で用いられる段折りとは、山折りと谷折りを交互に行うことによって、折り返す手法をいう。
【００１４】
（第１実施形態）
本実施形態の婦人用のイージードレス（以下、「ドレスＤ」という。）は、１枚の生地２から製造されるドレスである。また、本実施形態では、ドレスＤの一例として、ウェディングドレスについて説明を行うが、この形態に限定されるものではなく、ファッション性の高いドレス等にも適用可能である。
【００１５】
まず、ドレスＤを製作するための生地２について、図１及び図２を用いて説明する。
【００１６】
この生地２は、その用途や趣向に応じて、一般的なドレスＤの製作に使用されるものであって、その材質は、サテンが好適に用いられ、例えば、タフタ、チュール、オーガンジー、レース、シフォン、コットン等を単独又は適宜組み合わせて用いられる。
【００１７】
また、生地２の形状は、例えば、縦長に略帯状に形成され、その寸法は、少なくとも生地幅Ｘが装着者のバスト寸法を有している。また、生地丈Ｙは、装着者の身長やドレスＤの形状によって適宜設定される。
【００１８】
なお、生地２の形状は、ドレスＤのデザインにより（例えば、生地２の上部端部辺２ｃの一部がＶ字状にカットされる等）、必ずしも矩形状である必要はなく、適宜設計されるものである。
【００１９】
また、生地丈Ｙの寸法は、ドレスＤのスカート（以下、「下衣部３０」という。）のボリューム感の有無等によって適宜変更され、ボリューム感を出したい場合には、長く設定され、例えば、１０ｍ程度に設定される。
【００２０】
このような生地２において、生地丈Ｙの右側の端部辺２ｂの中央付近から下側には、生地幅Ｘ方向にひだ５ａが延びるように成形されるドレープ５が、端部辺２ｂに沿って複数形成されている。隣接するドレープ５の間隔は、光沢感を出す上で重要であり、その間隔により光沢感が異なるものの、その間隔は、例えば、５０ｃｍ程度に設定されることが好ましい。
【００２１】
そして、生地２は、生地幅Ｘを横にして用いられ、図２に示すように、上側の端部辺２ｃが装着者のバスト上部の位置に合わせられて装着者のバストに巻き付けられる。
【００２２】
この生地２は、バスト下方の生地（「下部生地２Ｂ」という。）が、例えば、図１中の点線に沿って段折りされてバストを覆う生地（「上部生地２Ａ」という。）との間に空間部１０が形成され、この空間部１０内には、各ドレープ５が装着者のアンダーバストの回り（胴回り）に順次配列される（図４参照）。また、この各ドレープ５は、その位置や形状が調整され、装着者の腰回りにはひだ５ａ、５ａ・・・、５ａが下方に延びるように調整され、他の余った生地が内側に折り込まれることによってドレスの外観が形成される。
【００２３】
次に、この生地２を用いたドレスＤについて、図１〜図６を用いて説明する。
【００２４】
本実施形態のドレスＤは、図２に示すように、装着者の身体のバストからウエストの上位部分を覆う上衣部２０と、ウエストの上位部分から下方を覆う下衣部３０と、を有し、１枚の生地２を変形することによって形成される。
【００２５】
まず、図１及び図３に示すように、生地２の上側の端部辺２ｃが、バスト上部の位置に合わせて巻き付けられ、生地２の幅方向の両側端部辺２ａ、２ｂの上部が背中側で繋ぎ合わされて固定され、生地２が略筒状に形成される。生地２同士の固定方法としては、粘着テープ５０やステープラー等が好適に用いられるが、フックやファスナー等を用いても構わない。
【００２６】
上衣部２０は、図２及び図４に示すように、下部生地２Ｂが上部生地２Ａの内側に段折りされて、一部の生地が重ね合されるようにして帯状に形成されている。なお、生地の上部生地２Ａの形状を適宜設計して切断することでこの上衣部２０のデザインは適宜変更可能である。
【００２７】
下部生地２Ｂは、図３及び図４に示すように、アンダーバストの位置に合わせて紐状体４０（例えば、弾性体）が配置されて装着者に固定され、上部生地２Ａと下部生地２Ｂの間には下方から連絡可能な空間部１０が形成される。そして、この紐状体４０によって下部生地２Ｂは、上部生地２Ａの一部と重ね合されて保持される。
【００２８】
この紐状体４０の一例としては、環状又は帯状のゴム等が好適に用いられるが、一般的に物を縛るヒモ等であっても構わない。なお、紐状体４０の両端部が開放されている場合には、背中側で縛り固定されることが好ましい。
【００２９】
下衣部３０は、図３に示すように、複数のドレープ５が形成された端部辺２ｂを持ち上げて、装着者の背後から正面側へと回すようにして、図４に示すように、当該端部辺２ｂを装着者のアンダーバストの位置に合わせて配置して、各ドレープ５が、前記空間部１０内に収容され、且つアンダーバストの回りに順次配列された後、下部生地２が適宜調整されてその表面が形成される。その際、各ドレープ５の位置や形状が調整され、装着者の腰回りから下方にひだ５ａ、５ａ、・・・、５ａが延びるように調整される。
【００３０】
また、生地２の他の部位は、この表面の内側に適宜配置されるように折り込まれる等調整されてボリューム感が表現され、生地丈Ｙの左側の端部辺２ａや下側の端部辺２ｄが紐状体４０と下部生地２Ｂとの間に挟まれる等によって保持される。
【００３１】
なお、生地２の他の部位を表面の下層に何層にも重ね合わせることにより、下衣部３０を膨らませ、ボリューム感を有するように成形される。すなわち、下衣部３０を膨らませたい場合には、生地丈Ｙを長くすればよい。一方で、ドレスＤの下衣部３０をシンプルなスタイルとする場合には、生地丈Ｙを短くすればよい。すなわち、生地丈Ｙの長さは、所望する下衣部３０の形状によって適宜設定されるものである。
【００３２】
次に、生地２に形成されるドレープの製作手法について説明する。
【００３３】
本実施形態のドレープ５は、図１及び図５示すように、任意に規定される基点Ｚの周辺の生地２を寄せ集めて紐状体５５（例えば、弾性体（例えば、輪ゴム等））によって固定することによって形成されるものであって、複数のひだ５ａ、５ａが、紐状体５５によってまとめられた部分から幅方向に延びて形成されている。このドレープ５は、生地丈Ｙの右側の端部辺２ｂに沿って所定の間隔で複数形成される。
【００３４】
そして、端部辺２ｂが持ち上げられてアンダーバストに設けられた紐状体４０によって固定され、ドレープ５のひだ５ａが下方に延びるようにして、各ドレープ５が順次、装着者のウエストに沿ってほぼ均等に配置され、下衣部３０が成形される。
【００３５】
なお、各ドレープ５は、紐状体４０から抜け落ちることを防止するために、ドレープを紐状体４０によって保持させる際に、その先端部を紐状体４０の上方へと引き出し、当該先端部を折り返して、テープ等で固定することによって強固に固定されることが好ましい。
【００３６】
また、本実施形態では、背中側において生地２の幅方向の両側端部辺２ａ、２ｂが固定される固定部分が露出しているため、見栄えが悪い。このような場合には、例えば、図６（ａ）に示すように、上部右側隅の生地２Ｃを予め引き出しておき、図６（ｂ）に示すように、この引き出した生地２Ｃで所定の形を形成し、固定部分を覆えばよい。この引き出された生地２Ｃの一部は、空間部１０内の紐状体４０等によって固定され、背中側に形作られた形状が保持される。これにより、固定部分を覆いつつ、背中部分に飾りつけを行うことができ、見栄えの良いドレスＤを製造することができる。
【００３７】
また、図２に示すように、下衣部３０において、生地２の一部を正面側に引き出して輪ゴム等の固定部材（図示しない）で固定し、引き出された生地にひだ等を形成して形作ることで、表面に花のような飾り６０を簡単に製造することが可能である。
【００３８】
また、本実施形態のドレスＤは、生地を固定する固定部材として、帯状に形成された両面テープやゴム等の弾性体を用いており、縫製などの作業を要していない。すなわち、単なる一枚の矩形状の生地２からドレスＤを製造することが可能であるとともに、これらの固定部材を取り除くことにより、元の単なる１枚の生地２に戻すことが可能である。
【００３９】
また、一枚の生地を巻き付けるようにして、体型に合わせて着付けることが可能であるため、高齢者や障害者も着用可能であって、装着者に負担をかけることなく、着付けを行うことができる。
【００４０】
また、ドレープ５の配置やひだ５ａの寄せ方等を工夫するだけで、デザインの異なる複数のスタイルのドレスを簡易且つ安価に製作することが可能である。
【００４１】
（第２実施形態）
第１実施形態のドレスＤの生地は、ドレープ５を生地丈Ｙ側に設けているのに対して、本実施形態のドレスは、生地幅Ｘ側にドレープ５を設けている点で異なる。なお、図７において、図１〜図６と共通する部分には同一符号を付し、それらの説明は省略する。
【００４２】
図７に示すように、本実施形態の生地２は、横長に略帯状に形成され、生地幅Ｘの右側の端部辺２ｃの中央付近から右側には、生地丈Ｙ方向にひだ５ａが延びるドレープ５が、端部辺２ｃに沿って複数形成されている。
【００４３】
そして、生地２は、生地幅Ｘが横になるようにして用いられ、図８に示すように、左上側の端部辺２ｃの一部が装着者のバスト上部の位置に合わせられて装着者のバストに巻き付けられる。
【００４４】
この生地２は、バスト下方の生地（「下部生地２Ｂ」という。）が、例えば、図７中の一点鎖線に沿って段折りされてバストを覆う生地（「上部生地２Ａ」という。）との間に空間部１０が形成され、この空間部１０内には、各ドレープ５が装着者のアンダーバストの回りに順次巻き付けられるようにして配列される（図８、図４参照）。また、この各ドレープ５の位置や形状が調整され、装着者の腰回りから下方にひだ５ａ、５ａ、・・・、５ａが延びるように調整されることによってドレスの外観が形成される。
【００４５】
なお、本実施形態の生地を用いたドレスの着付け方法は、上記第１実施形態において説明した着付け方法と同様であるため説明を省略するものとする。
【００４６】
次に、生地２に形成されるドレープ５の製作手法の変形例について図９を用いて説明する。なお、図９に示す生地８０は、図１に示す生地２と異なる部分にのみ符号を付するものとし、同じ機能を有する部分には同一の符号を付してその説明は省略するものとする。
【００４７】
上記第１実施形態において説明したドレープ５は、所定の間隔で基点Ｚを定めて、その基点Ｚの周囲の生地を寄せ集めた後、紐状体５５で固定して形成されているのに対して、本実施形態のドレープ５Ａは、生地丈Ｙの右側の端部辺２ｂを寄せ集めることで形成する点で異なる。
【００４８】
本変形例に示すドレープ５Ａが形成される生地２は、図９に示すように、右側の端部辺２ｂの略中央部近傍に任意の固定点Ｚ１を定めて、この固定点Ｚ１から端部辺２ｂに沿って筒状の挿通孔７０が形成されている。この挿通孔７０は、例えば、生地８０を折り返して縫製することによって形成される。
【００４９】
この挿通孔７０には、一部が当該固定点Ｚ１に固定される紐状体７１が挿通され、挿通孔７０の両側から紐状体７１の端部が露出するようにして配置される。そして、ドレープ５Ａは、図９（ｂ）に示すように、この挿通孔７０を片側（固定点側）に寄せることによってることによって形成される。
【００５０】
このように構成された本実施形態のドレスＤは、簡易な縫製を生地に施工するのみで、簡単且つ安価にドレスＤを製造することが可能である。
【００５１】
また、例えば、ソフトワイヤーと称される細長い弾力性のある針金状の部材をドレスＤの裾に沿って配置することで、ドレスＤの裾を所定の形状に形作って保持することが可能となり、見栄えをよくすることが可能となる。なお、当該ソフトワイヤーを裾以外の場所に用いることにより、ドレスＤの一部分を所定の形状に形作ることが可能となる。
【００５２】
なお、本願は本実施形態に限定されるものではなく、種々の形態にて実施することが可能である。
【符号の説明】
【００５３】
Ｄ  ドレス
Ｘ  生地幅
Ｙ  生地丈
２  生地
２ｃ  端部辺
５  ドレープ
１０  空間部
４０  紐状体
【図１】
0006283604.tif 000002
【図２】
0006283604.tif 000003
【図３】
0006283604.tif 000004
【図４】
0006283604.tif 000005
【図５】
0006283604.tif 000006
【図６】
0006283604.tif 000007
【図７】
0006283604.tif 000008
【図８】
0006283604.tif 000009
【図９】
0006283604.tif 000010